(57)【特許請求の範囲】
【請求項１】
複数の生産装置、および複数の前記生産装置が設置されたフロアの少なくとも一方を分担して照明する複数の照明器具を制御する照明制御システムであって、
複数の前記生産装置のうち第一生産装置でオペレータによる作業を必要とする要因が発生したときに、前記第一生産装置で発生するコール信号を取得するコール信号取得部と、
前記コール信号が発生していない間、複数の前記照明器具を消灯状態、または前記フロア全体での照明用電力が節約された省エネ点灯状態に維持する省エネ維持部と、
前記コール信号が発生したときに、前記第一生産装置および前記第一生産装置の周りのフロアエリアの少なくとも一方を分担する前記照明器具を点灯させる要因箇所点灯部と、
前記コール信号が発生したときに、前記第一生産装置以外の前記生産装置および前記第一生産装置から離れたフロアエリアの少なくとも一方に該当する関連箇所であって、前記オペレータが前記作業のために移動する可能性のある前記関連箇所を前記要因の内容に基づいて特定し、特定した前記関連箇所を分担する前記照明器具を可変に選択して点灯させる関連箇所点灯部と、
を備えた照明制御システム。
【請求項２】
複数の前記生産装置に接続されて前記コール信号を取得可能であるとともに、複数の前記照明器具を個別に点灯および消灯可能な照明用配電盤に接続され、かつ、前記コール信号取得部、前記省エネ維持部、前記要因箇所点灯部、および前記関連箇所点灯部の少なくとも一部分の機能を含む照明制御コンピュータを備えた請求項１に記載の照明制御システム。
【請求項３】
前記関連箇所として、
前記第一生産装置を含んで構成された生産ライン内の他の前記生産装置、ならびに、
前記フロアの出入り口から前記第一生産装置に至る通路を含んだフロアエリア、ならびに、
前記第一生産装置に補給される材料および部品、ならびに前記第一生産装置に用いられる交換用部材の少なくともいずれかが置かれている部品部材置き場から前記第一生産装置に至る通路を含んだフロアエリア、
の一箇所以上が選択される請求項１または２に記載の照明制御システム。
【請求項４】
前記作業によって前記要因が解消され前記コール信号が解除された時点で、または、前記コール信号が解除されてから一定時間が経過した時点で、または、前記オペレータが復帰指令を入力した時点で、前記省エネ維持部が復帰する請求項１〜３のいずれか一項に記載の照明制御システム。
【請求項５】
前記省エネ維持部は、複数の前記照明器具の各々の照明ランプの消費電力を節約した低輝度点灯状態、または、複数の前記照明器具の各々の複数の照明ランプの一部を消灯した部分点灯状態、または、複数の前記照明器具の一部を点灯し残部を消灯した間引き点灯状態、または、前記低輝度点灯状態および前記部分点灯状態および前記間引き点灯状態のうち複数状態の組み合わせを維持する請求項１〜４のいずれか一項に記載の照明制御システム。
【請求項６】
前記フロア内に位置する前記オペレータを感知する人感知センサと、
感知した前記オペレータの周りのフロアエリアを分担する前記照明器具を点灯させる人感知箇所点灯部と、をさらに備えた請求項１〜５のいずれか一項に記載の照明制御システム。
【請求項７】
複数の前記生産装置の各々は、はんだを用いて電子部品を基板に装着する基板生産ラインを構成する基板生産装置であり、
前記要因は、前記基板の種類を変更する段取り替え要因、前記はんだまたは前記電子部品を補給する補給要因、前記基板生産装置に用いられる交換用部材の交換要因、および前記基板生産装置に発生した異常要因の少なくとも一要因を包含する請求項１〜６のいずれか一項に記載の照明制御システム。
【請求項８】
前記要因が前記段取り替え要因、前記補給要因、および前記交換要因のいずれかであるとき、
前記関連箇所は、前記はんだおよび前記電子部品、ならびに前記交換用部材の少なくともいずれかが置かれている部品部材置き場から前記要因が発生した第一基板生産装置に至る通路を含んだフロアエリアを包含する請求項７に記載の照明制御システム。
【請求項９】
前記要因が前記異常要因であるとき、
前記関連箇所は、前記要因が発生した第一基板生産装置を含んで構成された基板生産ライン内の他の前記基板生産装置を包含する請求項７に記載の照明制御システム。
【請求項１０】
前記作業によって前記要因が解消され、前記要因が発生した第一基板生産装置を含んで構成された基板生産ラインが稼動を再開して所定数の前記基板が良好に生産された時点で、または、前記第一基板生産装置を含んで構成された基板生産ラインが稼動を再開したことを確認した前記オペレータが復帰指令を入力した時点で、前記省エネ維持部が復帰する請求項７〜９のいずれか一項に記載の照明制御システム。
【発明の詳細な説明】
【技術分野】
【０００１】
本発明は、複数の生産装置が設置されたフロアの複数の照明器具を制御する照明制御システムに関する。
【背景技術】
【０００２】
多数の部品が実装された基板を生産する設備として、はんだ印刷機、電子部品装着機、リフロー機、基板検査機などがある。これらの基板生産設備を連結して基板生産ラインを構成することが一般的になっている。さらに、複数の基板生産ラインを１つのフロアに設置した基板生産工場も多数ある。近年、基板生産ラインの自動化および省力化が推進され、基板生産工場のフロアに居るオペレータの人数は少なくなってきている。このため、いずれかの基板生産設備で作業を必要とする要因が発生したときに、オペレータが所持する携帯端末にコール信号を送信したり、報知ランプや報知ブザーを用いたりする方策がとられている。
【０００３】
一方、フロア内では、昼夜を問わず作業のために照明を点灯させることが一般的になっている。この場合、自動化の進展に伴って、フロア内にオペレータが居ないにもかかわらず多くの照明用電力がいたずらに費やされる時間帯が増加して、エネルギ管理上好ましくない。近年提唱されるスマートファクトリの考え方では、オペレータが居る箇所、換言すれば作業に必要な箇所の照明のみを点灯して省エネ化を図ることが重要とされている。反面、オペレータが作業しているにも拘わらず消灯してしまうと、作業性が低下する。例えば、人感知センサの感知結果にしたがって照明を自動制御する従来システムでは、オペレータの動きが止まって一定時間が経過すると自動消灯してしまうことがあり、始末が悪い。この種の省エネを図る照明制御システムの一技術例が特許文献１に開示されている。
【０００４】
特許文献１の工場照明システムは、多数台の自動機械を収容する工場のベース照度を確保するベース照明器具と、各自動機械の作業用照度を確保する局部照明器具と、局部照明器具を点灯制御する制御器と、制御器を遠隔操作する操作器とを備える。さらに、各自動機械に搭載される操作器の態様や、持ち運び可能な携帯形の操作器の態様が開示されている。これによれば、作業員による点検補修作業等を必要とするとき、必要最小限の照明器具の点灯で作業用照度を確保でき、省電力の効果がある、とされている。
【先行技術文献】
【特許文献】
【０００５】
【特許文献１】特開平６−２７５３８３号公報
【発明の概要】
【発明が解決しようとする課題】
【０００６】
ところで、特許文献１の技術例で、作業を必要とする要因が発生した自動機械に限って局部照明器具を点灯するので、省電力の効果（省エネ効果）が生じる点は好ましい。しかしながら、基板生産ラインで作業を必要とする要因が発生したときに、要因の発生した当該の基板生産装置だけで作業が完結する場合は少ない。
【０００７】
例えば、基板外観検査装置が担当する検査によって見つかる基板の不良は、オペレータの調査やメンテナンス作業などを必要とする一つの要因である。このとき、オペレータは、基板外観検査装置を調査することで、不良の発生状況を把握できる。しかしながら、多くの場合、不良の原因を究明して対策を講じ稼動を再開させるためには、ライン上流側の基板生産装置の調査も必要になる。すると、オペレータは、基板生産ラインを行き来することになり、基板外観検査装置に対する照明だけでは不十分となる。逆に言えば、基板外観検査装置を含む基板生産ラインの全体が自動的に照明されると、作業性が高められる。
【０００８】
また例えば、電子部品装着機の部品切れは、オペレータの補給作業を必要とする一つの要因である。このとき、オペレータは、多数の電子部品を保持したテープリールまたはフィーダ装置を取りゆくため部品置き場に移動する必要がある。すると、当該の電子部品装着機に対する照明だけでは不十分であり、部品置き場や移動通路も自動的に照明されると移動に便利であり、作業性が高められる。この２例から分かるように、要因が発生した装置のみを照明しても、作業性が低下するおそれがある。
【０００９】
さらに、人感知センサの感知結果にしたがって照明を自動制御する従来システムでは、フロアにオペレータが居ても、自動消灯してしまうおそれがある。このため、オペレータが作業を行って要因が解消されるまで消灯されず、要因が解消されてから消灯されるシステムが必要になる。
【００１０】
作業性低下のおそれ、およびオペレータが居るときの自動消灯のおそれは、基板生産工場の照明器具に限定されない。換言すると、上記したおそれは、様々な製品に係る複数の生産装置が設置されたフロアの複数の照明器具で省エネ化を図る際に、共通する問題点となっている。
【００１１】
本発明は、上記背景技術の問題点に鑑みてなされたものであり、複数の生産装置のいずれかでオペレータによる作業を必要とする要因が発生したときに、要因の発生箇所に加え関連箇所を選択して照明することにより、省エネ効果と良好な作業性とを両立できる照明制御システムを提供することを解決すべき課題とする。
【課題を解決するための手段】
【００１２】
上記課題を解決する本発明の照明制御システムは、複数の生産装置、および複数の前記生産装置が設置されたフロアの少なくとも一方を分担して照明する複数の照明器具を制御する照明制御システムであって、複数の前記生産装置のうち第一生産装置でオペレータによる作業を必要とする要因が発生したときに、前記第一生産装置で発生するコール信号を取得するコール信号取得部と、前記コール信号が発生していない間、複数の前記照明器具を消灯状態、または前記フロア全体での照明用電力が節約された省エネ点灯状態に維持する省エネ維持部と、前記コール信号が発生したときに、前記第一生産装置および前記第一生産装置の周りのフロアエリアの少なくとも一方を分担する前記照明器具を点灯させる要因箇所点灯部と、前記コール信号が発生したときに、前記第一生産装置以外の前記生産装置および前記第一生産装置から離れたフロアエリアの少なくとも一方に該当する関連箇所であって、前記オペレータが前記作業のために移動する可能性のある前記関連箇所を前記要因の内容に基づいて特定し、特定した前記関連個所を分担する前記照明器具を可変に選択して点灯させる関連箇所点灯部と、を備えた。
【発明の効果】
【００１３】
本発明の照明制御システムにおいて、コール信号が発生していない間、省エネ維持部が機能して省エネ効果が発生する。そして、コール信号が発生したときに、要因箇所点灯部によって要因の発生箇所が自動的に照明され、かつ、関連箇所点灯部によって関連箇所が可変に選択されて自動的に照明される。つまり、オペレータが作業を行う箇所および移動する可能性のある箇所が要因の内容に基づいて自動的に照明されるので、作業性が向上し、かつ作業対象箇所がわかりやすい。したがって、本発明の照明制御システムは、省エネ効果と良好な作業性とを両立させることができる。
【図面の簡単な説明】
【００１４】
【図１】基板生産工場のフロアにおける基板生産装置および照明器具の配置を示した平面図である。
【図２】第１実施形態の照明制御システムの構成を示した構成図である。
【図３】照明用配電盤が照明器具の点灯および消灯を切り替える方式を模式的に説明した図である。
【図４】照明制御コンピュータの制御フローを示したフローチャートである。
【図５】基板生産ラインで発生した段取り替え要因に応じて、照明制御システムが動作した状況を例示するフロアの平面図である。
【図６】はんだ印刷機で発生した補給要因または交換要因に応じて、照明制御システムが動作した状況を例示するフロアの平面図である。
【図７】電子部品装着機で発生した補給要因または交換要因に応じて、照明制御システムが動作した状況を例示するフロアの平面図である。
【図８】基板生産ラインで発生した異常要因に応じて、照明制御システムが動作した状況を例示するフロアの平面図である。
【図９】第１実施形態の変形例において、省エネ維持部が省エネ点灯状態を維持する状況を例示するフロアの平面図である。
【図１０】基板生産ラインで発生した段取り替え要因に応じて、第２実施形態の照明制御システムが動作した状況を例示するフロアの平面図である。
【発明を実施するための形態】
【００１５】
（１．第１実施形態の照明制御システム１の構成）
本発明の第１実施形態の照明制御システム１について、図１〜図８を参考にして説明する。第１実施形態の照明制御システム１は、基板生産工場のフロア９１の複数の照明器具の点灯および消灯を制御する。図１は、基板生産工場のフロア９１における基板生産装置および照明器具の配置を示した平面図である。また、図２は、第１実施形態の照明制御システム１の構成を示した構成図である。図２において、第１基板生産ライン８１の側面視が代表で示され、同様の構成の第２〜第５基板生産ライン８２〜８５は図示省略されている。
【００１６】
図１に示されるように、矩形のフロア９１の短辺９７に平行して、５ラインの第１〜第５基板生産ライン８１〜８５が概ね等間隔に設置されている。第１〜第５基板生産ライン８１〜８５のライン相互間には、通路が確保されている。フロア９１の周壁と第１〜第５基板生産ライン８１〜８５との間にも、通路が確保されている。フロア９１の一方の長辺９８の第２基板生産ライン８２と第３基板生産ライン８３との間の位置に、主出入り口９２が設けられている。フロア９１の他方の長辺９９の第２基板生産ライン８２と第３基板生産ライン８３との間の位置に、副出入り口９３が設けられている。副出入り口９３は、部品部材室９５に通じている。
【００１７】
第１〜第５基板生産ライン８１〜８５のライン構成および照明器具の配置は類似しており、第１基板生産ライン８１を例にして説明する。第１基板生産ライン８１は、６台の基板生産装置（７１〜７６）が列設されて構成されている。すなわち、フロア９１の他方の長辺９９側から一方の長辺９８側へと、はんだ印刷機７１、印刷検査機７２、第１電子部品装着機７３、第２電子部品装着機７４、基板外観検査機７５、およびリフロー機７６が並んでいる。ライン構成は、上記以外であってもよく、また、第１〜第５基板生産ライン８１〜８５のライン構成が相互に異なっていてもよい。また、フロア９１の他方の長辺９９の壁際には、第１〜第５基板生産ライン８１〜８５に近接して、それぞれ第１〜第５部品置き場９８１〜９８５が設けられている。
【００１８】
第１〜第５基板生産ライン８１〜８５で生産する基板の種類を変更する段取り替え作業に備えて、複数のフィーダ装置からなる部品供給装置が搬送台車とともに部品部材室９５に保管されている。部品部材室９５には、部品供給装置以外にも各種の材料や部品、工具や点検用ツールなどが保管されている。
【００１９】
はんだ印刷機７１で使用するはんだが不足したときの補給作業に備えて、補給用のはんだが第１〜第５部品置き場９８１〜９８５に置かれている。第１電子部品装着機７３および第２電子部品装着機７４で使用する電子部品が無くなったときの補給作業に備えて、補給用の多数の電子部品を保持したテープリールまたはフィーダ装置が第１〜第５部品置き場９８１〜９８５に置かれている。
【００２０】
さらに、はんだ印刷機７１に用いるスキージを取り換える場合の交換作業に備えて、予備のスキージが第１〜第５部品置き場９８１〜９８５に置かれている。第１電子部品装着機７３および第２電子部品装着機７４に用いる装着ノズルを取り換える場合の交換作業に備えて、予備の装着ノズルが第１〜第５部品置き場９８１〜９８５に置かれている。スキージや装着ノズルは、本発明の交換用部材の一例である。部品部材室９５および第１〜第５部品置き場９８１〜９８５は、本発明の部品部材置き場の一例である。
【００２１】
第１基板生産ライン８１の上方の天井に、３個の第１〜第３照明器具２１１〜２１３が列設されている。第１〜第３照明器具２１１〜２１３は、第１基板生産ライン８１に接近するように、天井から吊り下げられていてもよい。第１照明器具２１１は、はんだ印刷機７１、印刷検査機７２、第１部品置き場９８１、およびこれらの周りのフロアエリアを分担して照明する。第２照明器具２１２は、第１電子部品装着機７３、第２電子部品装着機７４、およびこれらの周りのフロアエリアを分担して照明する。第３照明器具２１３は、基板外観検査機７５、リフロー機７６、およびこれらの周りのフロアエリアを分担して照明する。
【００２２】
さらに、第２基板生産ライン８２の第３照明器具２２３、および第３基板生産ライン８３の第３照明器具２３３は、主出入り口９２の付近のフロアエリアの照明を分担する。第２基板生産ライン８２の第１照明器具２２１、および第３基板生産ライン８８の第１照明器具２３１は、副出入り口９３の付近のフロアエリアの照明を分担する。照明器具の個数は、各基板生産ライン８１〜８５で３個、合計で１５個となる。
【００２３】
なお、上記の説明では照明対象となる基板生産装置（７１〜７６）およびフロアエリアに対して照明器具を共用しているが、装置照明用およびフロア照明用に別々の照明器具を用いてもよい。また、照明器具をフロア面に設け、下方から基板生産装置（７１〜７６）を照明するとともに、側方から通路を照明してもよい。
【００２４】
第１〜第３照明器具２１１、２１２、２１３に近接して、それぞれ第１〜第３人感知センサ３１１、３１２、３１３が下向きに設けられている。合計で１５個の人感知センサは、図１に破線の円で示される感知範囲を有し、フロア９１内に位置するオペレータを感知する。人感知センサ３１１〜３１３は、オペレータを感知していないと出力する感知信号Ｍｄをオフ状態とし、オペレータを感知していると感知信号Ｍｄをオン状態にする。これにより、人感知センサ３１１〜３１３に近接配置された照明器具２１１〜２１３が個別に点灯制御される（詳細後述）。人感知センサの感知方式として、人の熱を感知する方式や、赤外線反射の変化を検出する方式などを採用できる。
【００２５】
第１基板生産ライン８１の第１人感知センサ３１１は、はんだ印刷機７１や印刷検査機７２で作業を行うオペレータを感知し、第１部品置き場９８１の前に立つオペレータを感知する。第２人感知センサ３１２は、第１電子部品装着機７３や第２電子部品装着機７４で作業を行うオペレータを感知する。第３人感知センサ３１３は、基板外観検査機７５やリフロー機７６で作業を行うオペレータを感知する。さらに、第１〜第３人感知センサ３１１〜３１３は、感知範囲内の通路を移動するオペレータも感知する。
【００２６】
一方、部品部材室９５の照明は、専用の室内照明器具２６に分担されている。部品部材室９５の内部に、人感知センサは設けられていない。
【００２７】
主出入り口９２の付近の壁に、手動操作の主照明スイッチ３７が配設されている。主照明スイッチ３７は、５個のライン別スイッチからなり、各基板生産ライン８１〜８５の３個の照明器具を一括して点灯および消灯できる。主照明スイッチ３７は、ライン別に点灯操作されると、ライン別に出力する操作信号Ｍ１〜Ｍ５をオン状態にする。副出入り口９３の付近の壁に、手動操作の副照明スイッチ３８が配設されている。副照明スイッチ３８は、部品部材室９５の室内照明器具２６を点灯および消灯できる。副照明スイッチ３８は、点灯操作されると、出力する操作信号Ｍ６をオン状態にする。
【００２８】
図２に示されるように、第１実施形態の照明制御システム１は、１５個の人感知センサ３１１〜３１３、照明制御コンピュータ４、および照明用配電盤５からなる。照明制御コンピュータ４は、ＣＰＵを有してソフトウェアにより動作する。照明制御コンピュータ４は、オペレータと情報交換を行うインターフェイスツールとして、図略の表示装置および入力装置を備える。照明制御コンピュータ４は、第１〜第５基板生産ライン８１〜８５の稼動を管理するライン管理コンピュータを兼ねている。
【００２９】
照明制御コンピュータ４は、ハブ装置４７およびローカルエリアネットワーク４８を介して、全部の基板生産装置（７１〜７６）に接続されている。照明制御コンピュータ４は、各基板生産装置（７１〜７６）から稼動状況に関する連絡信号を取得する。連絡信号の１種類にコール信号Ｓｃがある。コール信号Ｓｃは、基板生産装置（７１〜７６）でオペレータによる作業を必要とする要因が発生したときに送出される。照明制御コンピュータ４は、無線送信機を有しており、オペレータが所持する携帯端末４９にオペレータコール信号Ｓｏを送信する機能を具備する。照明制御コンピュータ４は、照明用配電盤５に接続されている。
【００３０】
照明制御コンピュータ４は、コール信号取得部４１、省エネ維持部４２、要因箇所点灯部４３、および関連箇所点灯部４４の機能を有して、照明用配電盤５を制御する。これら各部４１〜４４の制御動作については、後で詳述する。
【００３１】
照明用配電盤５は、フロア９１の１５個の照明器具２１１、２１２、２１３、２２１、２２３、２３１、２３３、および部品部材室９５の室内照明器具２６を個別に点灯および消灯する。照明用配電盤５には、交流電源５１が供給されている。照明用配電盤５は、少なくとも一部の照明器具を省エネ点灯状態とする機能を具備していてもよい。照明用配電盤５には、１５個の人感知センサ３１１〜３１３の感知信号Ｍｄが入力され、さらに、主照明スイッチ３７および副照明スイッチ３８の操作信号Ｍ１〜Ｍ５、Ｍ６が入力される。照明制御コンピュータ４および照明用配電盤５の配置位置は、特に限定されないので、図１には示されていない。
【００３２】
図３は、照明用配電盤５が照明器具の点灯および消灯を切り替える方式を模式的に説明した図である。図示されるように、第１基板生産ライン８１の第１照明器具２１１と交流電源５１との間に、３個の制御スイッチ５２〜５４が並列接続されている。手動制御スイッチ５２は、主照明スイッチ３７の操作信号Ｍ１がオン状態であると導通され、操作信号Ｍ１がオフ状態であると遮断される。自動制御スイッチ５３は、第１人感知センサ３１１の感知信号Ｍｄがオン状態であると導通され、感知信号Ｍｄがオフ状態であると遮断される。自動制御スイッチ５３は、本発明の人感知箇所点灯部に相当する。第１人感知センサ３１１を用いることで、自動点灯機能が実現されている。システム制御スイッチ５４は、照明制御コンピュータ４からの制御によって導通と遮断とが切り替え制御される。
【００３３】
結局、第１照明器具２１１は、３個の制御スイッチ５２〜５４のうち１個以上の導通で点灯し、３個全部が遮断されると消灯する。フロア９１の残りの１４個の照明器具２１２、２１３、２２１、２２３、２３１、２３３の点灯および消灯の切り替え制御において、人感知センサの感知信号Ｍｄおよび主照明スイッチ３７の操作信号Ｍ１〜Ｍ５は変化するが、制御方式自体は変わらない。また、室内照明器具２６の点灯および消灯の切り替え制御において、手動制御スイッチ５２は、副照明スイッチ３８の操作信号Ｍ６に制御され、自動制御スイッチ５３は省略される。
【００３４】
（２．第１実施形態の照明制御システム１の動作および作用）
次に、第１実施形態の照明制御システム１の動作および作用について、照明制御コンピュータ４の制御フローにしたがって説明する。図４は、照明制御コンピュータ４の制御フローを示したフローチャートである。図中のステップＳ１で、照明制御コンピュータ４のコール信号取得部４１は、基板生産装置（７１〜７６）にコール信号Ｓｃが発生しているか否かを判定する。
【００３５】
コール信号Ｓｃが発生していない間、コール信号取得部４１は、ステップＳ１およびステップＳ２を繰り返す。ステップＳ２で、省エネ維持部４２は、全ての照明器具を消灯状態（全消灯状態）に維持する。これにより、大きな省エネ効果が発生する。ただし、フロア９１にオペレータが居る場合には、人感知センサ３１１〜３１３の自動点灯機能、または主照明スイッチ３７の手動点灯機能によって照明器具が点灯され得る。
【００３６】
コール信号Ｓｃが発生したときに、コール信号取得部４１は、制御フローの実行をステップＳ３に進める。ステップＳ３で、コール信号取得部４１は、コール信号Ｓｃが発生した基板生産ライン（８１〜８５のいずれか）および基板生産装置（７１〜７６のいずれか）を確認する。さらに、コール信号取得部４１は、コール信号Ｓｃに含まれる要因の内容を確認する。要因の内容として、段取り替え要因、補給要因、交換要因、および異常要因を例示できる（詳細後述）。次のステップＳ４で、照明制御コンピュータ４は、携帯端末４９にオペレータコール信号Ｓｏを送信する。オペレータコール信号Ｓｏは、コール信号Ｓｃが発生した基板生産ラインおよび基板生産装置を示す情報、ならびに要因の内容を含んでいる。
【００３７】
ステップＳ５で、照明制御コンピュータ４は、要因の内容に応じて制御フローの分岐先を決定する。すなわち、照明制御コンピュータ４は、段取り替え要因の場合ステップＳ８に、補給要因の場合ステップＳ６に、交換要因の場合ステップＳ７に、異常要因の場合ステップＳ１１に制御フローの実行をそれぞれ進める。
【００３８】
さらに、ステップＳ６で、照明制御コンピュータ４は、補給する材料または部品に応じて制御フローの分岐先を決定する。すなわち、照明制御コンピュータ４は、電子部品を補給する場合に制御フローの実行をステップＳ１０に進め、はんだを補給する場合に制御フローの実行をステップＳ９に進める。ステップＳ７で、照明制御コンピュータ４は、交換用部材に応じて制御フローの分岐先を決定する。すなわち、照明制御コンピュータ４は、装着ノズルを交換する場合に制御フローの実行をステップＳ１０に進め、スキージを交換する場合に制御フローの実行をステップＳ９に進める。
【００３９】
ここで、段取り替え要因は、基板生産ライン（８１〜８５のいずれか）で、或る種類の基板の生産実績数が生産予定数に達したときに発生する。このとき、生産する基板の種類を変更する段取り替え作業が必要になる。段取り替え作業では、第１電子部品装着機７３や第２電子部品装着機７４で基板に装着される電子部品の多種類を変更する場合が多い。したがって、オペレータは、部品部材室９５に行き、部品供給装置を搬送台車に載せて戻ってくることになる。
【００４０】
また、生産する基板の種類の変更に伴い、はんだ印刷機７１の印刷パターンのデータ、ならびに、第１電子部品装着機７３および第２電子部品装着機７４の電子部品装着に関するデータが変更される。加えて、印刷検査機７２および基板外観検査機７５が用いる検査パターンのデータも変更される。これらのデータ変更操作は、照明制御コンピュータ４のライン管理コンピュータの機能によって自動的に行われる。オペレータは、データ変更操作が適正に行われたことをそれぞれの基板生産装置（７１〜７５）で確認することになる。
【００４１】
このため、ステップＳ８で、要因箇所点灯部４３は、段取り替え要因が発生した基板生産ラインを要因箇所と特定し、当該の基板生産ラインを分担する第１〜第３照明器具を点灯させる。また、関連箇所点灯部４４は、オペレータが作業のために移動する可能性のある部品部材室９５を関連箇所とし、室内照明器具２６を選択して点灯させる。
【００４２】
図５は、基板生産ラインで発生した段取り替え要因に応じて、照明制御システム１が動作した状況を例示するフロア９１の平面図である。図５の例では、第４基板生産ライン８４で段取り替え要因が発生している。要因箇所点灯部４３は、第４基板生産ライン８４を分担する第１〜第３照明器具２４１〜２４３を点灯させ、関連箇所点灯部４４は、室内照明器具２６を点灯させる。なお、図５以降では、オペレータの移動する動線が太い破線で示され、点灯された照明器具が便宜的に黒塗りで示されている。
【００４３】
携帯端末４９でオペレータコール信号Ｓｏを確認したオペレータは、主出入り口９２からフロア９１に入り、第４基板生産ライン８４へと移動する。このとき主出入り口９２から第４基板生産ライン８４に至る通路を含んだフロアエリアは、第３基板生産ライン８３の第３人感知センサ３３３および第３照明器具２３３によって自動的に照明される。次に、オペレータは、既に照明されている第４基板生産ライン８４の状況を確認し、既に照明されている部品部材室９５に移動する。このとき第４基板生産ライン８４から部品部材室９５に至る通路は、第３基板生産ライン８３の第１人感知センサ３３１および第１照明器具２３１によって自動的に照明される。
【００４４】
したがって、オペレータが段取り替え作業のために移動する可能性のあるエリアに関して、全ての照明器具２３１、２３３、２４１、２４２、２４３、および室内照明器具２６が自動で点灯される。さらに、オペレータがフロア９１の想定されないエリアに仮に移動しても、人感知センサによる自動点灯機能が働く。また、オペレータが主出入り口９２からフロア９１内を見た瞬間に、既に第４基板生産ライン８４の全体および部品部材室９５が照明されているので、作業対象箇所がわかりやすい。
【００４５】
次に、補給要因は、基板生産ライン（８１〜８５のいずれか）で材料や部品が無くなったときに発生する。このとき、材料や部品の補給作業が必要になる。材料として、はんだ印刷機７１に補給するはんだを例示でき、部品として第１電子部品装着機７３や第２電子部品装着機７４に補給する電子部品を例示できる。例示した以外の材料または部品であっても、補給対象がはんだ印刷機７１の場合にステップＳ９の処理が行われ、補給対象が第１電子部品装着機７３または第２電子部品装着機７４の場合にステップＳ１０の処理が行われる。オペレータは、補給用のはんだや電子部品を手に取るために、部品置き場まで移動することになる。
【００４６】
また、交換要因は、基板生産ライン（８１〜８５のいずれか）で、交換用部材を取り換えるときに発生する。このとき、交換用部材の交換作業が必要になる。例えば、はんだ印刷機７１のスキージに多量のはんだが固着して自動清掃が困難になった場合に、交換作業が必要となる。また例えば、第１電子部品装着機７３や第２電子部品装着機７４の装着ノズルの装着成功率が低下した場合に、交換作業が必要となる。例示した以外の交換用部材であっても、交換対象がはんだ印刷機７１の場合にステップＳ９の処理が行われ、交換対象が第１電子部品装着機７３または第２電子部品装着機７４の場合にステップＳ１０の処理が行われる。オペレータは、予備のスキージや装着ノズルを手に取るために、部品置き場まで移動することになる。
【００４７】
上記したように、はんだ印刷機７１で補給要因または交換要因が発生したとき、制御フローの実行はステップＳ９に進められる。要因箇所点灯部４３は、要因箇所であるはんだ印刷機７１を分担する当該の基板生産ラインの第１照明器具を点灯させる。また、オペレータが作業のために移動する可能性のある関連箇所は部品置き場だけであり、部品置き場は既に第１照明器具によって照明されている。したがって、関連箇所点灯部４４は、照明器具を選択しない。
【００４８】
図６は、はんだ印刷機７１で発生した補給要因または交換要因に応じて、照明制御システム１が動作した状況を例示するフロア９１の平面図である。図６の例では、第３基板生産ライン８３のはんだ印刷機７１で補給要因または交換要因が発生している。このため、要因箇所点灯部４３は、第３基板生産ライン８４のはんだ印刷機７１を分担する第１照明器具２３１を点灯させる。
【００４９】
オペレータは、主出入り口９２からフロア９１に入り、第３基板生産ライン８３のはんだ印刷機７１に移動する。このとき主出入り口９２からはんだ印刷機７１に至る通路を含んだフロアエリアは、第３基板生産ライン８３の第２、第３人感知センサ３３２、３３３、および第２、第３照明器具２３２、２３３によって自動的に照明される。次に、オペレータは、既に照明されているはんだ印刷機７１の状況を確認し、既に照明されている第３部品置き場９８３に移動する。したがって、オペレータが移動する可能性のあるエリアに関して、全ての照明器具２３１、２３２、２３３が自動で点灯される。また、オペレータが主出入り口９２からフロア９１内を見た瞬間に、既に第３基板生産ライン８３の第１照明器具２３１が点灯されているので、作業対象箇所がわかりやすい。
【００５０】
一方、第１電子部品装着機７３または第２電子部品装着機７４で補給要因または交換要因が発生したとき、制御フローの実行はステップＳ１０に進められる。要因箇所点灯部４３は、要因箇所である第１電子部品装着機７３または第２電子部品装着機７４を分担する当該の基板生産ラインの第２照明器具を点灯させる。また、関連箇所点灯部４４は、オペレータが作業のために移動する可能性のある部品置き場を分担する第１照明器具を選択して点灯させる。
【００５１】
図７は、電子部品装着機で発生した補給要因または交換要因に応じて、照明制御システム１が動作した状況を例示するフロア９１の平面図である。図７の例では、第２基板生産ライン８２の第１電子部品装着機７３で補給要因または交換要因が発生している。このため、要因箇所点灯部４３は、第２基板生産ライン８２の第１電子部品装着機７３を分担する第２照明器具２２２を点灯させる。また、関連箇所点灯部４４は、第２部品置き場９８２を分担する第１照明器具２２１を選択して点灯させる。
【００５２】
オペレータは、主出入り口９２からフロア９１に入り、第２基板生産ライン８２の第１電子部品装着機７３に移動する。このとき主出入り口９２から第１電子部品装着機７３に至る通路を含んだフロアエリアは、第２基板生産ライン８２の第３人感知センサ３２３、および第３照明器具２２３によって自動的に照明される。次に、オペレータは、既に照明されている第１電子部品装着機７３の状況を確認し、既に照明されている第２部品置き場９８２に移動する。したがって、オペレータが移動する可能性のあるエリアに関して、全ての照明器具２２１、２２２、２２３が自動で点灯される。また、オペレータが主出入り口９２からフロア９１内を見た瞬間に、既に第２基板生産ライン８２の第１および第２照明器具２２１、２２２が点灯されているので、作業対象箇所がわかりやすい。
【００５３】
次に、異常要因は、基板生産ライン（８１〜８５のいずれか）を構成するいずれかの基板生産装置で何らかの異常が発生した場合を意味する。このとき、オペレータによる点検や調査の作業、稼動を再開するためのメンテナンス作業などが必要になる。異常には、基板生産装置の動作不具合や、印刷検査機７２および基板外観検査機７５における検査の不良などがある。多くの場合、異常の原因を究明して対策を講じ稼動を再開させるためには、基板生産ライン（８１〜８５のいずれか）の全体にわたる作業が必要になる。つまり、オペレータは、基板生産ライン（８１〜８５のいずれか）の全体を行き来することになる。
【００５４】
このため、ステップＳ１１で、要因箇所点灯部４３は、異常要因が発生した基板生産装置（７１〜７６のいずれか）を分担する第１〜第３照明器具のいずれかを点灯させる。また、関連箇所点灯部４４は、異常要因が発生した基板生産装置（７１〜７６のいずれか）を含む基板生産ライン（８１〜８５のいずれか）の全体を関連箇所とし、第１〜第３照明器具を点灯させる。さらに、関連箇所点灯部４４は、点検ツールが保管されている部品部材室９５を関連箇所とし、室内照明器具２６を選択して点灯させてもよい。
【００５５】
図８は、基板生産ラインで発生した異常要因に応じて、照明制御システム１が動作した状況を例示するフロア９１の平面図である。図８の例では、第５基板生産ライン８５の基板外観検査機７５で異常要因が発生している。このため、要因箇所点灯部４３は、基板外観検査機７５を分担する第３照明器具２５３を点灯させる。また、関連箇所点灯部４４は、第５基板生産ライン８５を分担する他の第１、第２照明器具２５１、２５２を点灯させる。
【００５６】
オペレータは、主出入り口９２からフロア９１に入り、第５基板生産ライン８５へと移動する。このとき主出入り口９２から第５基板生産ライン８５に至る通路を含んだフロアエリアは、第３ならびに第４基板生産ライン８３、８４の第３人感知センサ３３３、３４３および第３照明器具２３３、２４３によって自動的に照明される。次に、オペレータは、既に照明されている第５基板生産ライン８５の状況を点検および調査する。したがって、オペレータが移動する可能性のあるエリアに関して、全ての照明器具２３３、２４３、２５１、２５２、２５３が自動で点灯される。また、オペレータが主出入り口９２からフロア９１内を見た瞬間に、既に第５基板生産ライン８５の全体が照明されているので、作業対象箇所がわかりやすい。
【００５７】
オペレータは、異常要因に応じて対策を講じ、基板生産ラインの稼動を再開する。さらに、オペレータは、基板生産ラインが良好に稼動していることを確認すると、照明制御コンピュータ４の入力装置から復帰指令を入力する。復帰指令は、省エネ維持部４２を復帰させるための指令である。図４のステップＳ１１に続くステップＳ１２で、照明制御コンピュータ４は、復帰指令の入力を待ち、復帰指令が入力されると制御フローの実行をステップＳ１３に進める。
【００５８】
オペレータは、段取り替え作業、補給作業、および交換作業を行った後に、復帰指令を入力する必要は無い。照明制御コンピュータ４は、ステップＳ８、Ｓ９、Ｓ１０を実行した後、制御フローの実行をステップＳ１３に進め、オペレータの作業が終了するのを待つ。作業が終了するとコール信号Ｓｃが解除されるので、照明制御コンピュータ４は、制御フローの実行をステップＳ１４に進める。
【００５９】
ステップＳ１４で、照明制御コンピュータ４は、一定時間の経過を待ち、一定時間が経過すると制御フローの実行をステップＳ１に戻す。一定時間は、オペレータが要因発生箇所から離れる便宜を考慮して設定されたものであり、必須ではない。つまり、照明制御コンピュータ４は、ステップＳ１３でコール信号Ｓｃが解除された時点で、直ちに制御フローの実行をステップＳ１に戻してもよい。戻った後の再度のステップＳ１で別のコール信号が発生していなければ、再度のステップ２で、省エネ維持部４２が復帰し、省エネ効果が再び発生する。
【００６０】
なお、複数のコール信号Ｓｃが時間的にオーバーラップして発生する場合も生じ得る。この場合、照明制御コンピュータ４は、個々のコール信号Ｓｃに対して図４に示される制御フローをそれぞれ実行する。このため、省エネ維持部４２が復帰するのは、全てのコール信号Ｓｃが解除された後となる。
【００６１】
次に、第１実施形態の省エネ維持部４２の機能を変形した変形例について説明する。変形例において、省エネ維持部４２は、全消灯状態でなく、フロア９１全体での照明用電力が節約された省エネ点灯状態を維持する。図９は、第１実施形態の変形例において、省エネ維持部４２が省エネ点灯状態を維持する状況を例示するフロア９１の平面図である。図示されるように、要因が発生していない間、省エネ維持部４２は、第２基板生産ライン８２の第２照明器具２２２、および第４基板生産ライン８４の第２照明器具２４２の２個のみを点灯し、他を消灯した間引き点灯状態を維持する。これでも、大きな省エネ効果が発生する。
【００６２】
なお、省エネ点灯状態は、上記した間引き点灯状態に限定されず、低輝度点灯状態や部分点灯状態などでもよい。低輝度点灯状態において、全ての照明器具は、点灯されつつも、各々の照明ランプの消費電力が節約されて輝度が低下する。部分点灯状態において、照明器具の各々は、２個以上の照明ランプを有し、少なくとも１個の照明ランプが消灯される。さらに、上記した複数の状態を組み合わせることも可能である。例えば、間引き点灯状態とされた第２基板生産ライン８２の第２照明器具２２２、および第４基板生産ライン８４の第２照明器具２４２を、消費電力が節約された低輝度とすることができる。
【００６３】
（３．第１実施形態の照明制御システム１の態様および効果）
第１実施形態の照明制御システム１は、複数の生産装置（基板生産装置（７１〜７６））、および複数の生産装置が設置されたフロア９１の少なくとも一方を分担して照明する複数の照明器具（２１１〜２１３等）を制御する照明制御システム１であって、複数の生産装置のうち第一生産装置でオペレータによる作業を必要とする要因が発生したときに、第一生産装置で発生するコール信号Ｓｃを取得するコール信号取得部４１と、コール信号Ｓｃが発生していない間、複数の照明器具を消灯状態、またはフロア９１全体での照明用電力が節約された省エネ点灯状態に維持する省エネ維持部４２と、コール信号Ｓｃが発生したときに、第一生産装置および第一生産装置の周りのフロアエリアの少なくとも一方を分担する照明器具を点灯させる要因箇所点灯部４３と、コール信号Ｓｃが発生したときに、第一生産装置以外の生産装置および第一生産装置から離れたフロアエリアの少なくとも一方に該当する関連箇所であって、オペレータが作業のために移動する可能性のある関連箇所を分担する照明器具を、要因の内容に基づき可変に選択して点灯させる関連箇所点灯部４４と、を備えた。
【００６４】
これによれば、コール信号Ｓｃが発生していない間、省エネ維持部４２が機能して、省エネ効果が発生する。そして、コール信号Ｓｃが発生したときに、要因箇所点灯部４３によって要因の発生箇所が自動的に照明され、かつ、関連箇所点灯部４４によって関連箇所が自動的に照明される。つまり、オペレータが作業を行う箇所および移動する可能性のある箇所が自動的に照明されるので、作業性が向上し、かつ作業対象箇所がわかりやすい。したがって、第１実施形態の照明制御システム１は、省エネ効果と良好な作業性とを両立させることができる。
【００６５】
さらに、第１実施形態の照明制御システム１は、複数の生産装置（基板生産装置（７１〜７６））に接続されてコール信号Ｓｃを取得可能であるとともに、複数の照明器具（２１１〜２１３等）を個別に点灯および消灯可能な照明用配電盤５に接続され、かつ、コール信号取得部４１、省エネ維持部４２、要因箇所点灯部４３、および関連箇所点灯部４４の少なくとも一部分の機能を含む照明制御コンピュータ４を備えた。
【００６６】
これによれば、コンピュータ装置を利用して、本発明を合理的に実施できる。特に、基板生産装置（７１〜７６）を照明対象とする場合に、照明制御コンピュータ４は、第１〜第５基板生産ライン８１〜８５の稼動を管理するライン管理コンピュータを兼ねることができるので、ハードウェアが有効に活用される。
【００６７】
さらに、関連箇所として、第一生産装置を含んで構成された生産ライン内の他の生産装置、ならびに、フロア９１の出入り口（主出入り口９２）から第一生産装置に至る通路を含んだフロアエリア、ならびに、第一生産装置に補給される材料および部品、ならびに第一生産装置に用いられる交換用部材の少なくともいずれかが置かれている部品部材置き場（部品部材室９５、第１〜第５部品置き場９８１〜９８５）から第一生産装置に至る通路を含んだフロアエリア、の一箇所以上が選択される。これによれば、複数の生産装置が生産ラインを構成するフロア９１、および、出入り口や部品部材置き場が設けられたフロア９１で、作業性を向上する効果が顕著になる。
【００６８】
さらに、作業によって要因が解消されコール信号Ｓｃが解除された時点で、または、コール信号Ｓｃが解除されてから一定時間が経過した時点で、または、オペレータが復帰指令を入力した時点で、省エネ維持部４２が復帰する。これによれば、オペレータが動きの無い作業を行う場合や、一時的に要因の発生箇所を離れる場合にも消灯されることがなく、良好な作業性が保たれる。加えて、要因が解消されてから自動消灯されるので、省エネ効果が再び発生する。
【００６９】
さらに、第１実施形態の変形例において、省エネ維持部４２は、複数の照明器具の各々の照明ランプの消費電力を節約した低輝度点灯状態、または、複数の照明器具の各々の複数の照明ランプの一部を消灯した部分点灯状態、または、複数の照明器具の一部を点灯し残部を消灯した間引き点灯状態、または、低輝度点灯状態および部分点灯状態および間引き点灯状態のうち複数状態の組み合わせを維持する。これによれば、省エネ維持部４２は、全消灯状態以外にも様々な省エネ点灯状態を採用できる。
【００７０】
さらに、第１実施形態の照明制御システム１は、フロア９１内に位置するオペレータを感知する人感知センサ（３１１〜３１３等）と、感知したオペレータの周りのフロアエリアを分担する照明器具を点灯させる人感知箇所点灯部（自動制御スイッチ５３）と、をさらに備えた。これによれば、人感知センサを併用することで、作業性を向上する効果が確実になる。
【００７１】
また、第１実施形態の照明制御システム１において、複数の生産装置の各々は、はんだを用いて電子部品を基板に装着する基板生産ライン８１〜８５を構成する基板生産装置（７１〜７６）であり、要因は、基板の種類を変更する段取り替え要因、はんだまたは電子部品を補給する補給要因、基板生産装置に用いられる交換用部材の交換要因、および基板生産装置に発生した異常要因の少なくとも一要因を包含する。これによれば、基板生産工場のフロア９１で、コール信号Ｓｃが発生していない間の省エネ効果と、様々な要因に対する良好な作業性とを両立させることができる。
【００７２】
さらに、要因が異常要因であるとき、関連箇所は、要因が発生した第一基板生産装置を含んで構成された基板生産ライン８１〜８５内の他の基板生産装置を包含する。これによれば、オペレータが移動する可能性のある基板生産ライン８１〜８５の全体が自動的に照明されるので、作業性が向上する。
【００７３】
さらに、作業によって要因が解消され、要因が発生した第一基板生産装置を含んで構成された基板生産ライン８１〜８５が稼動を再開して所定数の前記基板が良好に生産された時点で、または、第一基板生産装置を含んで構成された基板生産ライン８１〜８５が稼動を再開したことを確認したオペレータが復帰指令を入力した時点で、省エネ維持部４２が復帰する。これによれば、基板生産ライン８１〜８５の良好な稼動が確認されてから省エネ維持部４２が復帰するので、不十分な作業のおそれが生じない。
【００７４】
（４．第２実施形態の照明制御システム）
次に、第２実施形態の照明制御システムについて、第１実施形態と異なる点を主に説明する。第２実施形態の照明制御システムにおいて、人感知センサおよび自動制御スイッチ５３を備えない点、ならびに関連箇所点灯部４４の機能が異なり、それ以外は第１実施形態と同じである。第２実施形態では、人感知センサによる自動点灯機能が無く、関連箇所点灯部４４が通路を含んだフロアエリアの照明を制御する。
【００７５】
第２実施形態の照明制御システムの動作および作用について、図５で説明した段取り替え要因の場合を例にして説明する。図１０は、基板生産ラインで発生した段取り替え要因に応じて、第２実施形態の照明制御システムが動作した状況を例示するフロア９１の平面図である。図１０の例では、第４基板生産ライン８４で段取り替え要因が発生している。このため、第１実施形態と同様に、要因箇所点灯部４３は、第４基板生産ライン８４を分担する第１〜第３照明器具２４１〜２４３を点灯させ、関連箇所点灯部４４は、室内照明器具２６を点灯させる。
【００７６】
また、第１実施形態と異なり、関連箇所点灯部４４は、主出入り口９２から第４基板生産ライン８４に至る通路を含んだフロアエリア、ならびに、第４基板生産ライン８４から部品部材室９５に至る通路を含んだフロアエリアを関連箇所とする。つまり、関連箇所点灯部４４は、第３基板生産ライン８３を分担する第３および第１照明器具２３３、２３１を点灯させて、オペレータの移動の便宜を図る。したがって、オペレータが段取り替え作業のために移動する可能性のあるエリアに関して、全ての照明器具２３１、２３３、２４１、２４２、２４３、および室内照明器具２６が自動で点灯される。
【００７７】
第２実施形態の照明制御システムにおいて、要因が段取り替え要因、補給要因、および交換要因のいずれかであるとき、関連箇所は、はんだおよび電子部品、ならびに交換用部材の少なくともいずれかが置かれている部品部材置き場から要因が発生した第一基板生産装置に至る通路を含んだフロアエリアを包含する。これによれば、オペレータが移動する可能性のある通路が自動的に照明されるので、人感知センサを併用せずとも、作業性が顕著に向上する。
【００７８】
（５．実施形態の応用および変形）
なお、第１実施形態において、段取り替え作業、補給作業、および交換作業を行った後にオペレータが復帰指令を入力してから省エネ維持部４２が復帰するようにしてもよい。この場合、照明制御コンピュータ４は、ステップＳ８、Ｓ９、Ｓ１０の後、制御フローの実行をステップＳ１２に進め、以降は異常要因発生時と同じ制御を行う。また、異常要因発生時のステップＳ１２で、オペレータによる復帰指令に代えて、基板生産ライン８１〜８５の復帰信号を待つようにしてもよい。復帰信号は、基板生産ライン８１〜８５が稼動を再開して所定数の基板が良好に生産された時点で、当該の基板生産ライン８１〜８５からハブ装置４７を介して照明制御コンピュータ４に入力される。
【００７９】
さらになお、基板生産ラインのライン数やライン構成、フロア９１内の照明器具や部品部材置き場の配置などは様々に変更できる。この場合、関連箇所点灯部は、要因に応じて点灯する照明器具を適宜選択し、点灯させる。また、本発明の照明制御システムは、基板以外の様々な製品に係る複数の生産装置が設置された工場で実施することもできる。本発明は、他にも様々な応用や変形が可能である。
【符号の説明】
【００８０】
１：照明制御システム
２１１〜２１３：第１〜第３照明器具    ２２１〜２２３：第１〜第３照明器具
２３１〜２３３：第１〜第３照明器具    ２４１〜２４３：第１〜第３照明器具
２５１〜２５３：第１〜第３照明器具    ２６：室内照明器具
３１１〜３１３：第１〜第３人感知センサ    ３２３：第３人感知センサ
３３１〜３３３：第１〜第３人感知センサ    ３４３：第３人感知センサ
４：照明制御コンピュータ    ４１：コール信号取得部    ４２：省エネ維持部
４３：要因箇所点灯部    ４４：関連箇所点灯部
５：照明用配電盤    ５２：手動制御スイッチ
５３：自動制御スイッチ（人感知箇所点灯部）    ５４：システム制御スイッチ
７１：はんだ印刷機    ７２：印刷検査機    ７３：第１電子部品装着機
７４：第２電子部品装着機    ７５：基板外観検査機    ７６：リフロー機
８１〜８５：第１〜第５基板生産ライン
９１：フロア    ９２：主出入り口    ９３：副出入り口
９５：部品部材室    ９８１〜９８５：第１〜第５部品置き場
【図１】
0006712882.tif 000002
【図２】
0006712882.tif 000003
【図３】
0006712882.tif 000004
【図４】
0006712882.tif 000005
【図５】
0006712882.tif 000006
【図６】
0006712882.tif 000007
【図７】
0006712882.tif 000008
【図８】
0006712882.tif 000009
【図９】
0006712882.tif 000010
【図１０】
0006712882.tif 000011